(57)【要約】【課題】建物外周に沿って配列される複数の既成杭の杭頭部上に接合した各鋼管内部それぞれに鉄骨柱の柱脚部を挿入し、鋼管内部に打設する杭頭コンクリートを介して、基礎梁及びフーチングを用いずに鉄骨柱を該既成杭に一体的に接合するようにした建物基礎部を前提として、建物外周における鉄骨柱の水平方向変形を抑制することが可能な建物基礎部構造及びその施工方法を提供する。【解決手段】地盤Ｇ上に建物２外周に沿って設けられ、鋼管４それぞれから上方に突出する複数の鋼管柱５を一連に連結する鉄筋コンクリート製リブ状小梁８が、小梁で囲まれる建物内方の地盤上に設けられる鉄筋コンクリート製スラブ９と一体化されている。【選択図】図２
2018159180.tif 000002
【特許請求の範囲】
【請求項１】
建物外周に沿って配列される複数の既成杭の杭頭部上に接合した各鋼管内部それぞれに鉄骨柱の柱脚部を挿入し、該鋼管内部に打設する杭頭コンクリートを介して、基礎梁及びフーチングを用いずに該鉄骨柱を該既成杭に一体的に接合するようにした建物基礎部構造であって、
地盤上に上記建物外周に沿って設けられ、上記鋼管それぞれから上方に突出する複数の上記鉄骨柱を一連に連結する鉄筋コンクリート製リブ状小梁が、該小梁で囲まれる該建物内方の該地盤上に設けられる鉄筋コンクリート製スラブと一体化されていることを特徴とする建物基礎部構造。
【請求項２】
前記小梁は、前記建物外周に沿って設けられ、壁材が載置される鉄筋コンクリート製腰壁と一体化されていることを特徴とする請求項１に記載の建物基礎部構造。
【請求項３】
前記鉄骨柱の外回りに沿って、少なくとも前記小梁の梁コンクリート中に、該梁コンクリートを介して梁鉄筋と係合する平面コ字状の補強鉄筋が埋設され、
該補強鉄筋は、前記建物外周と平行な位置関係で、かつ上記鉄骨柱の幅寸法よりも大きな寸法で形成された横行部と、該横行部に対し直角な位置関係で、当該横行部の両端それぞれに一端が接続され、他端が該鉄骨柱から定着長以上に達する長さ寸法で形成されて、該鉄骨柱を両側から挟む一対の定着部とからなることを特徴とする請求項１または２に記載の建物基礎部構造。
【請求項４】
前記鋼管とその上方の前記小梁との間には、鉛直縦方向力を伝達すると共に、水平横方向力の伝達を遮断する縁切り材が設けられていることを特徴とする請求項１〜３いずれかの項に記載の建物基礎部構造。
【請求項５】
請求項１〜４いずれかの項に記載の建物基礎部構造を施工するための施工方法であって、
前記杭頭部上に前記鋼管を接合した複数の前記既成杭を前記建物外周に沿って配列して前記地盤に打設し、これら鋼管内部それぞれに前記鉄骨柱の前記柱脚部を挿入した後、前記杭頭コンクリートをこれら鋼管内部に打設して、該鉄骨柱を該既成杭に一体的に接合する杭頭部施工工程と、
上記地盤上で、上記建物外周に沿ってかつ上記鋼管それぞれから上方に突出して配列される複数の上記鉄骨柱を一連に連結するように梁鉄筋を配筋する作業と、前記小梁と前記スラブを一体化するために、少なくとも一部が該梁鉄筋と錯綜するように、当該梁鉄筋で囲まれる該地盤上でスラブ鉄筋を配筋する作業とを含む配筋工程と、
上記梁鉄筋及び上記スラブ鉄筋を取り囲んで型枠を設置する型枠工程と、
上記型枠内部に梁コンクリート及びスラブコンクリートを打設して上記小梁と上記スラブを一体的に構築するコンクリート打設工程とを備えたことを特徴とする建物基礎部構造の施工方法。
【請求項６】
請求項２〜４いずれかの項に記載の建物基礎部構造を施工するための施工方法であって、
前記杭頭部上に前記鋼管を接合した複数の前記既成杭を前記建物外周に沿って配列して前記地盤に打設し、これら鋼管内部それぞれに前記鉄骨柱の前記柱脚部を挿入した後、前記杭頭コンクリートをこれら鋼管内部に打設して、該鉄骨柱を該既成杭に一体的に接合する杭頭部施工工程と、
上記地盤上で、上記建物外周に沿ってかつ上記鋼管それぞれから上方に突出して配列される複数の上記鉄骨柱を一連に連結するように梁鉄筋を配筋する作業と、前記小梁と前記スラブと前記腰壁を一体化するために、少なくともそれらの一部が該梁鉄筋と錯綜するように、当該梁鉄筋で囲まれる該地盤上でスラブ鉄筋を配筋すると共に該建物外周に沿って壁鉄筋を配筋する作業とを含む配筋工程と、
上記梁鉄筋、上記スラブ鉄筋及び上記壁鉄筋を取り囲んで型枠を設置する型枠工程と、
上記型枠内部に、梁コンクリート、スラブコンクリート及び壁コンクリートを打設して、あるいは該梁コンクリート及び該スラブコンクリートを打設した後に該壁コンクリートを打設して、上記小梁と上記スラブと上記腰壁を一体的に構築するコンクリート打設工程とを備えたことを特徴とする建物基礎部構造の施工方法。
【請求項７】
前記配筋工程では、前記鉄骨柱の外回りに沿って、少なくとも前記梁コンクリート中に埋設されて、該梁コンクリートを介して前記梁鉄筋と係合する平面コ字状の補強鉄筋を配筋することを特徴とする請求項５または６に記載の建物基礎部構造の施工方法。
【請求項８】
前記配筋工程の前に、前記鋼管と前記小梁との間に縁切り材を設けることを特徴とする請求項５〜７いずれかの項に記載の建物基礎部構造の施工方法。
【発明の詳細な説明】
【技術分野】
【０００１】
本発明は、建物外周に沿って配列される複数の既成杭の杭頭部上に接合した各鋼管内部それぞれに鉄骨柱の柱脚部を挿入し、鋼管内部に打設する杭頭コンクリートを介して、基礎梁及びフーチングを用いずに鉄骨柱を該既成杭に一体的に接合するようにした建物基礎部を前提として、建物外周における鉄骨柱の水平方向変形を抑制することが可能な建物基礎部構造及びその施工方法に関する。
【背景技術】
【０００２】
建物外周に沿って配列される複数の既成杭の杭頭部上に接合した各鋼管内部それぞれに鉄骨柱の柱脚部を挿入し、鋼管内部に打設する杭頭コンクリートを介して、基礎梁及びフーチングを用いずに鉄骨柱を既成杭に一体的に接合する技術として、特許文献１が知られている。
【０００３】
特許文献１の「鉄骨造建物の基礎構造と施工法及び鋼管付既成コンクリート杭」は、基礎構造を構成している既成コンクリート杭と鉄骨柱との結合を堅固にして曲げ応力の伝達を円滑にしながら、現場での作業と根切り工事とを回避することで、施工コストの低減と工期短縮の出来る鉄骨造建物の基礎構造と施工法及び鋼管付既成コンクリート杭を提供することを課題とし、地盤の所定位置に打設された円形中空断面の既成コンクリート杭と、既成コンクリート杭と同外径以下で既成コンクリート杭の杭頭上端面に接合された鋼管及び鋼管内の所定位置に設置されコンクリートで一体化された鉄骨柱で構成され、鋼管の下端部に取付フランジを設けて杭頭上端面にボルト接合し、剪断補強筋を杭頭上端面に突設された縦筋に支持し、杭頭上端面に固定させて杭の中空部に垂下する有底鋼管中にコンクリートを充填するようにしている。
【先行技術文献】
【特許文献】
【０００４】
【特許文献１】特開２００４−１０８０３４号公報
【発明の概要】
【発明が解決しようとする課題】
【０００５】
背景技術が示しているこの種の基礎構造では、建物一階の床スラブを支持する基礎梁がないため、一階の床は鉄筋コンクリート製の土間コンクリートで形成されることが多い。
【０００６】
この場合、建物外周に対する建物内方では、鉄骨柱の柱脚部に作用する水平横方向の応力に対し土間コンクリートが抵抗するが、建物外周では、この水平横方向の応力に抵抗する構造がないことから、鉄骨柱の柱脚部の水平方向への変形が大きくなってしまうという課題があった。
【０００７】
本発明は上記従来の課題に鑑みて創案されたものであって、建物外周に沿って配列される複数の既成杭の杭頭部上に接合した各鋼管内部それぞれに鉄骨柱の柱脚部を挿入し、鋼管内部に打設する杭頭コンクリートを介して、基礎梁及びフーチングを用いずに鉄骨柱を該既成杭に一体的に接合するようにした建物基礎部を前提として、建物外周における鉄骨柱の水平方向変形を抑制することが可能な建物基礎部構造及びその施工方法を提供することを目的とする。
【課題を解決するための手段】
【０００８】
本発明にかかる建物基礎部構造は、建物外周に沿って配列される複数の既成杭の杭頭部上に接合した各鋼管内部それぞれに鉄骨柱の柱脚部を挿入し、該鋼管内部に打設する杭頭コンクリートを介して、基礎梁及びフーチングを用いずに該鉄骨柱を該既成杭に一体的に接合するようにした建物基礎部構造であって、地盤上に上記建物外周に沿って設けられ、上記鋼管それぞれから上方に突出する複数の上記鉄骨柱を一連に連結する鉄筋コンクリート製リブ状小梁が、該小梁で囲まれる該建物内方の該地盤上に設けられる鉄筋コンクリート製スラブと一体化されていることを特徴とする。
【０００９】
前記小梁は、前記建物外周に沿って設けられ、壁材が載置される鉄筋コンクリート製腰壁と一体化されていることを特徴とする。
【００１０】
前記鉄骨柱の外回りに沿って、少なくとも前記小梁の梁コンクリート中に、該梁コンクリートを介して梁鉄筋と係合する平面コ字状の補強鉄筋が埋設され、該補強鉄筋は、前記建物外周と平行な位置関係で、かつ上記鉄骨柱の幅寸法よりも大きな寸法で形成された横行部と、該横行部に対し直角な位置関係で、当該横行部の両端それぞれに一端が接続され、他端が該鉄骨柱から定着長以上に達する長さ寸法で形成されて、該鉄骨柱を両側から挟む一対の定着部とからなることを特徴とする。
【００１１】
前記鋼管とその上方の前記小梁との間には、鉛直縦方向力を伝達すると共に、水平横方向力の伝達を遮断する縁切り材が設けられていることを特徴とする。
【００１２】
本発明にかかる建物基礎部構造の施工方法は、上記建物基礎部構造を施工するための施工方法であって、前記杭頭部上に前記鋼管を接合した複数の前記既成杭を前記建物外周に沿って配列して前記地盤に打設し、これら鋼管内部それぞれに前記鉄骨柱の前記柱脚部を挿入した後、前記杭頭コンクリートをこれら鋼管内部に打設して、該鉄骨柱を該既成杭に一体的に接合する杭頭部施工工程と、上記地盤上で、上記建物外周に沿ってかつ上記鋼管それぞれから上方に突出して配列される複数の上記鉄骨柱を一連に連結するように梁鉄筋を配筋する作業と、前記小梁と前記スラブを一体化するために、少なくとも一部が該梁鉄筋と錯綜するように、当該梁鉄筋で囲まれる該地盤上でスラブ鉄筋を配筋する作業とを含む配筋工程と、上記梁鉄筋及び上記スラブ鉄筋を取り囲んで型枠を設置する型枠工程と、上記型枠内部に梁コンクリート及びスラブコンクリートを打設して上記小梁と上記スラブを一体的に構築するコンクリート打設工程とを備えたことを特徴とする。
【００１３】
また、本発明にかかる建物基礎部構造の施工方法は、上記建物基礎部構造を施工するための施工方法であって、前記杭頭部上に前記鋼管を接合した複数の前記既成杭を前記建物外周に沿って配列して前記地盤に打設し、これら鋼管内部それぞれに前記鉄骨柱の前記柱脚部を挿入した後、前記杭頭コンクリートをこれら鋼管内部に打設して、該鉄骨柱を該既成杭に一体的に接合する杭頭部施工工程と、上記地盤上で、上記建物外周に沿ってかつ上記鋼管それぞれから上方に突出して配列される複数の上記鉄骨柱を一連に連結するように梁鉄筋を配筋する作業と、前記小梁と前記スラブと前記腰壁を一体化するために、少なくともそれらの一部が該梁鉄筋と錯綜するように、当該梁鉄筋で囲まれる該地盤上でスラブ鉄筋を配筋すると共に該建物外周に沿って壁鉄筋を配筋する作業とを含む配筋工程と、上記梁鉄筋、上記スラブ鉄筋及び上記壁鉄筋を取り囲んで型枠を設置する型枠工程と、上記型枠内部に、梁コンクリート、スラブコンクリート及び壁コンクリートを打設して、あるいは該梁コンクリート及び該スラブコンクリートを打設した後に該壁コンクリートを打設して、上記小梁と上記スラブと上記腰壁を一体的に構築するコンクリート打設工程とを備えたことを特徴とする。
【００１４】
前記配筋工程では、前記鉄骨柱の外回りに沿って、少なくとも前記梁コンクリート中に埋設されて、該梁コンクリートを介して前記梁鉄筋と係合する平面コ字状の補強鉄筋を配筋することを特徴とする。
【００１５】
前記配筋工程の前に、前記鋼管と前記小梁との間に縁切り材を設けることを特徴とする。
【発明の効果】
【００１６】
本発明にかかる建物基礎部構造及びその施工方法にあっては、建物外周に沿って配列される複数の既成杭の杭頭部上に接合した各鋼管内部それぞれに鉄骨柱の柱脚部を挿入し、鋼管内部に打設する杭頭コンクリートを介して、基礎梁及びフーチングを用いずに鉄骨柱を該既成杭に一体的に接合するようにした建物基礎部を前提として、建物外周における鉄骨柱の水平方向変形を抑制することができる。
【図面の簡単な説明】
【００１７】
【図１】本発明に係る建物基礎部構造の好適な一実施形態を示す要部側断面図である。
【図２】図１に示した建物基礎部構造の配筋状態を示すための拡大側断面図である。
【図３】図１に示した建物基礎部構造の配筋状態を示すための正面断面図である。
【図４】図１に示した建物基礎部構造の配筋状態を示すための平面断面図である。
【発明を実施するための形態】
【００１８】
以下に、本発明にかかる建物基礎部構造及びその施工方法の好適な一実施形態を、添付図面を参照して詳細に説明する。図１は、本実施形態に係る建物基礎部構造の要部側断面図、図２は、図１に示した建物基礎部構造の配筋状態を示すための拡大側断面図、図３は、図１に示した建物基礎部構造の配筋状態を示すための正面断面図、図４は、図１に示した建物基礎部構造の配筋状態を示すための平面断面図である。
【００１９】
本実施形態に係る建物基礎部構造を、本実施形態に係る建物基礎部構造の施工方法の手順に沿って、以下説明する。まず、杭頭部施工工程を実施する。ＰＣ杭などの既成杭１の杭頭部１ａの上端面に設けた鋼製リング１ｂの上に中空筒状の鋼管４を設置し、この鋼管４を鋼製リング１ｂにボルト締結したり溶接することで、既成杭１の杭頭部１ａ上に鋼管４を接合する。
【００２０】
また、既成杭１を打設する建物２外周に沿って地盤面を掘削して溝部３を形成し、その後、地盤Ｇ中に、建物２外周に沿う溝部３に沿って配列して既成杭１を複数本打設する。
【００２１】
溝部３は、建物２外方とは反対側の、建物２内方へ向けて、地盤面に向かって上向き傾斜の傾斜面３ａを有して形成される。建物２外周に対する建物２内方にも、柱設置位置に合わせて、既成杭１を打設するようにしてもよい。
【００２２】
次に、図示しないけれども、各鋼管４内部に、鉄骨柱、本実施形態にあっては中空筒体状の鋼管柱５を設置する高さ位置まで、コンクリートを打設する。コンクリートが硬化した後、当該コンクリート上にレベルモルタルを施工し、鋼管４内部に鋼管柱５の柱脚部５ａを挿入し、このレベルモルタル上に設置する。
【００２３】
次に、鋼管４内部に、鋼管柱５周りに充填するようにして、杭頭コンクリートＣｐを打設し、この杭頭コンクリートＣｐを介して、鋼管柱５を既成杭１に一体的に接合する。この際、鋼管柱５内部にも、適宜高さまでコンクリートを充填する。これにより、地盤面から上方へ突出される鋼管柱５と地盤Ｇ中の既成杭１とは、基礎梁やフーチングを用いずに一体化される。
【００２４】
次に、縁切り材６，７を設ける作業を実施する。建物２外周位置に沿う鋼管柱５の建物２外側に面する柱面５ｂ外方近傍から建物２内方の全域に、砕石６を敷設し、その後、砕石６の上に捨てコンクリート７を打設する。すなわち、溝部３では鋼管柱５回りに、地盤面では平坦に、そして溝部３の傾斜面３ａでは、当該傾斜面３ａに沿って斜めに縁切り材６，７が設けられる。
【００２５】
これら砕石６及び捨てコンクリート７が、鋼管４と、溝部３から傾斜面３ａにわたる範囲に構築される後述のリブ状小梁８との間において、鉛直縦方向力、すなわち主として建物２の荷重等を伝達すると共に、水平横方向力、すなわち地震力や風力等の伝達を遮断する縁切り材となる。
【００２６】
次に、地盤Ｇ上で配筋工程を実施する。配筋工程では、少なくとも、リブ状小梁８の梁鉄筋８ａ，８ｂとスラブ９のスラブ鉄筋９ａを配筋する作業が施工され、好ましくは、併せて腰壁１０の壁鉄筋１０ａを配筋する作業が施工される。
【００２７】
梁鉄筋８ａ，８ｂの配筋は、いわゆる小梁に適用される周知の小梁鉄筋相当であって、長さ方向が鋼管柱５の配列方向に沿って、すなわち建物２外周に沿って配筋される複数の主筋８ａと、複数の主筋８ａを包囲して配筋される複数のスターラップ筋８ｂとから構成される。
【００２８】
複数の主筋８ａは、互いに間隔を隔てて環状に配列される。複数のスターラップ筋８ｂは、主筋８ａの長さ方向に互いに間隔を隔てて複数配列される。梁鉄筋８ａ，８ｂは、建物２外周に位置する鋼管柱５と建物２内方に位置する鋼管柱５との間や、建物２内方に配設される鋼管柱５同士の間に、配筋するようにしてもよい。
【００２９】
梁鉄筋８ａ，８ｂは、捨てコンクリート７上に配筋される。梁鉄筋８ａ，８ｂの主筋８ａには、鋼管柱５に突き当たるものと、鋼管柱５の側方を通過するものがある。鋼管柱５と突き当たる位置に配筋される主筋８ａは、鋼管柱５の手前位置で、上端のものはその端部が下方へＬ字状に曲げ下げられ、下端のものはその端部が上方へＬ字状に曲げ上げられて配筋される（図３中、Ａ部参照）。
【００３０】
鋼管柱５の側方を通過する主筋８ａは、捨てコンクリート７上で、建物２外周に沿ってかつ鋼管４それぞれから上方に突出して配列される複数の鋼管柱５を一連に連結するように、重ね継ぎ手等により連続的に継がれて配筋される。建物２外周に位置する鋼管柱５と建物２内方に位置する鋼管柱５との間や、建物２内方に配設される鋼管柱５同士の間に設けられる梁鉄筋８ａ，８ｂも、同様に配筋される。
【００３１】
スラブ鉄筋９ａは、少なくとも建物２外周に設けられる梁鉄筋８ａ，８ｂで囲まれる地盤Ｇ上の捨てコンクリート７上に配筋される。スラブ鉄筋９ａは、平面格子状に組まれて構成される。スラブ鉄筋９ａは、捨てコンクリート７上に敷くようにして、上下に複層で互いに間隔を隔てて配筋される。
【００３２】
スラブ鉄筋９ａは、スラブ９と小梁８とを一体化するために、建物２外周に沿う端縁部分が梁鉄筋８ａ，８ｂと錯綜するように、スターラップ筋８ｂ内方へ差し込んで配筋される。すなわち、スラブ鉄筋９ａの一部は、小梁８に飲み込まれるように配筋される。
【００３３】
壁鉄筋１０ａは、少なくとも建物２外周に設けられる梁鉄筋８ａ，８ｂに沿って配筋される。壁鉄筋１０ａは、立面格子状に組まれて構成される。壁鉄筋１０ａは、建物２外周位置に沿う鋼管柱５の建物２外側に面する柱面５ｂ外方に立てるようにして、左右横方向に複層で互いに間隔を隔てて配筋される。
【００３４】
壁鉄筋１０ａは、腰壁１０と小梁８とを一体化するために、下方部分が梁鉄筋８ａ，８ｂと錯綜するように、スターラップ筋８ｂ内方へ差し込んで配筋される。すなわち、壁鉄筋１０ａの一部は、小梁８に飲み込まれるように配筋される。
【００３５】
配筋工程ではさらに、鉄骨柱５の外回りに沿って、平面コ字状の鋼製補強鉄筋１１が配筋される。補強鉄筋１１の平面コ字状の形態は詳述すると、横行部１１ａと、横行部１１ａの長さ方向両端それぞれに直角な折り曲げ箇所を介して連なる一対の定着部１１ｂとから構成される。従って、横行部１１ａと各定着部１１ｂとは直角な関係で形成される。言い換えれば、一対の定着部１１ｂの長さ方向一端が直角な屈曲部を介して横行部１１ａの長さ方向両端に接続された形態を備えて、コ字状を呈している。
【００３６】
横行部１１ａは、建物２外周と平行な位置関係で、かつ鋼管柱５の柱幅寸法よりも大きな寸法で形成される。そして、横行部１１ａは、その両端が鋼管柱５の幅方向両側から突出するように、その位置が設定される。横行部１１ａに一端が接続された一対の定着部１１ｂは、鋼管柱５を両側から挟むように配置される。補強鉄筋１１は、一本でもよいが、鋼管柱５の高さ方向に複数本多段に設けることが好ましい。
【００３７】
補強鉄筋１１は詳細には、横行部１１ａが建物２外周と平行に配されることから、定着部１１ｂは、建物２外周の横行部１１ａ位置から建物２内方へ向かうように配される。そして一対の定着部１１ｂは、建物２外周位置に沿う鋼管柱５の建物外側に面する柱面５ｂとは反対側の、建物２内側に面する柱面５ｃから定着長Ｌ以上に達する長さ寸法で形成される。
【００３８】
通常は定着部１１ｂは、スラブ鉄筋９ｂと錯綜するようにスラブ９内方へ延出される。言い換えれば、横行部１１ａは、壁鉄筋１０ａ近傍もしくは壁鉄筋１０ａと錯綜する位置に配され、定着部１１ｂは、壁鉄筋１０ａ位置から、曲げ上げられ曲げ下げられた主筋８ａ近傍を経過してスラブ鉄筋９ａに達し、これらと錯綜するように配される。補強鉄筋１１は、横行部１１ａが建物２外周と平行に配される関係上、隅柱位置では、隅角形状に沿ってＬ字状配置で配筋される。
【００３９】
次に、型枠工程を実施する。型枠工程では、周知の設置方法により、少なくとも補強鉄筋１１、梁鉄筋８ａ，８ｂ、スラブ鉄筋９ａを取り囲んで、好ましくは、併せて壁鉄筋１０ａを取り囲んで、図示しない型枠が設置される。概略的には、建物２を外側からスラブ９及びリブ状小梁８を一括して包囲する配置で型枠が設置されると共に、腰壁１０位置には、腰壁形成用の型枠が設置される。
【００４０】
次に、型枠内部に、梁鉄筋８ａ，８ｂに対して梁コンクリートＣｂを、スラブ鉄筋９ａに対してスラブコンクリートＣｓを、壁鉄筋１０ａに対して壁コンクリートＣｗを打設する。スラブコンクリートＣｓと梁コンクリートＣｂとは、これらが平坦に連なって平坦な平面が形成されるように、同じ高さレベルで打設され、壁コンクリートＣｗは、平坦な平面から立ち上がる適宜高さレベルで打設される。
【００４１】
これにより、鉄筋コンクリート製リブ状小梁８と鉄筋コンクリート製スラブ９と鉄筋コンクリート製腰壁１０とが一体的に構築される。これらコンクリートＣｂ，Ｃｓ，Ｃｗの打設により、殊に梁コンクリートＣｂの打設によって、平面コ字状の補強鉄筋１１が梁コンクリートＣｂ中に埋設され、当該梁コンクリートＣｂを介して、梁鉄筋８ａ，８ｂと係合される。
【００４２】
壁コンクリートＣｗは、梁コンクリートＣｂ及びスラブコンクリートＣｓを打設した後に打設してもよく、このようにしても、腰壁１０とリブ状小梁８とを一体的に構築することができる。小梁８の厚さは、鋼管４及び鋼管柱５位置の溝部３から傾斜面３ａにわたるリブ形態によって、スラブ９の厚さよりも厚く形成される。打設コンクリートＣｂ，Ｃｓ，Ｃｗが硬化した後、型枠は撤去される。
【００４３】
すなわち、コンクリート打設工程により、地盤Ｇ上には、建物２外周に沿って鋼管４それぞれから上方に突出する複数の鋼管柱５を一連に連結する鉄筋コンクリート製リブ状小梁８が構築されると共に、小梁８で囲まれる建物２内方の地盤面上に鉄筋コンクリート製スラブ９が構築され、これら小梁８とスラブ９とが一体化されると同時に、小梁８は、建物２外周に沿って構築される鉄筋コンクリート製腰壁１０と一体化される。
【００４４】
そして、腰壁１０上には、建物２外周に沿って、ＡＬＣ壁など壁材１２が載置され、この壁材１２は腰壁１０によって支持される。
【００４５】
以上説明した本実施形態に係る建物基礎部構造及びその施工方法にあっては、建物２外周に沿って配列される複数の既成杭１の杭頭部１ａ上に接合した各鋼管４内部それぞれに鋼管柱５の柱脚部５ａを挿入し、鋼管４内部に打設する杭頭コンクリートＣｐを介して、基礎梁及びフーチングを用いずに鋼管柱５を既成杭１に一体的に接合するようにした建物基礎部を対象として、地盤Ｇ上に建物２外周に沿って設けられ、鋼管４それぞれから上方に突出する複数の鋼管柱５を一連に連結する鉄筋コンクリート製リブ状小梁８が、この小梁８で囲まれる建物２内方の地盤面上に設けられる鉄筋コンクリート製スラブ９と一体化されているので、鋼管柱５間を連結するように設けた小梁８により、建物２外周の鋼管柱５に作用する水平横方向力に抵抗することができ、水平方向変形を抑えることができる。
【００４６】
梁鉄筋８ａ，８ｂにスラブ鉄筋９ａ及び壁鉄筋１０ａを錯綜配置して、鋼管柱５間を連結する鉄筋コンクリート製リブ状小梁８に対し、鉄筋コンクリート製スラブ９及び鉄筋コンクリート製腰壁１０を一体化するようにしたので、スラブ９及び腰壁１０によって小梁８の断面性能を向上してその強度を高めることができ、鋼管柱５周りに十分な耐力と剛性を確保することができる上に、腰壁１０上に載置される壁材１２の重量を負担しつつ、その重量を適切に既成杭１に伝達して支持させることができる。
【００４７】
また、スラブ９が沈下するような事態が発生しても、腰壁１０と壁材１２との間で隙間が発生したり、腰壁１０上の壁材１２の崩落が生じたりすることのない構造健全性を確保することができる。そしてまた、たとえ表層が軟弱な地盤Ｇであっても、建物２外周の腰壁１０周辺の沈下は既成杭１によって防止できるので、スラブ９下に対する地盤改良や、壁材１２を鋼管柱５に支持させる支持構造の設置などを省略することができ、工期短縮やコスト低減を達成することができる。
【００４８】
鋼管柱５の外回りに沿って、少なくとも小梁８の梁コンクリートＣｂ中に埋設され、梁コンクリートＣｂを介して梁鉄筋８ａ，８ｂと係合する平面コ字状の補強鉄筋１１を、建物２外周と平行な位置関係で、かつ鋼管柱５の幅寸法よりも大きな寸法で形成された横行部１１ａと、横行部１１ａに対し直角な位置関係で、当該横行部１１ａの両端それぞれに一端が接続され、他端が鋼管柱５から定着長Ｌ以上に達する長さ寸法で形成されて、鋼管柱５を両側から挟む一対の定着部１１ｂとから構成したので、鋼管柱５に作用する建物２外方への水平横方向力を補強鉄筋１１が適切かつ確実に負担することとなり、建物２の構造強度を向上させることができる。
【００４９】
鋼管４とその上方の小梁８との間に、鉛直縦方向力を伝達すると共に、水平横方向力の伝達を遮断する縁切り材６，７を設けたので、小梁８に作用する水平横方向力を軽減することができる。
【００５０】
スラブ９の上面とリブ状小梁８の上面とを平坦に形成すれば、建物２内方の有効利用面積を適切に確保することができる。
【００５１】
上述した杭頭部１ａ上に接合する鋼管４は、通常の鋼管であってももちろんよいが、ＳＣ杭の外周を覆う鋼管を杭頭部から必要な長さだけ延長するようにした構成であってもよい。また、既成杭１としては、ＰＨＣ杭の上部にＳＣ杭を既製品の拘束金物による乾式工法で接合した構造であってもよい。
【００５２】
小梁８と腰壁１０との間には、水平目地を設けず、また、小梁８及び腰壁１０には、垂直目地を設けないことが望ましい。そして、目地を設ける場合には、小梁８等の厚さを、目地の深さ分だけ増厚しておき、これら小梁８等に断面欠損が生じないようにすることが好ましい。
【符号の説明】
【００５３】
１  既成杭
１ａ  杭頭部
２  建物
４  鋼管
５  鋼管柱
５ａ  柱脚部
６  砕石
７  捨てコンクリート
８  鉄筋コンクリート製リブ状小梁
８ａ，８ｂ  梁鉄筋
９  鉄筋コンクリート製スラブ
９ａ  スラブ鉄筋
１０  鉄筋コンクリート製腰壁
１０ａ  壁鉄筋
１１  平面コ字状の補強鉄筋
１１ａ  横行部
１１ｂ  定着部
１２  壁材
Ｃｂ  梁コンクリート
Ｃｐ  杭頭コンクリート
Ｃｓ  スラブコンクリート
Ｃｗ  壁コンクリート
Ｇ  地盤
【図１】
2018159180.tif 000003
【図２】
2018159180.tif 000004
【図３】
2018159180.tif 000005
【図４】
2018159180.tif 000006